(57)【特許請求の範囲】
【請求項１】
データ種別毎に異なる通信モードのデータ系列を受信するデータ受信装置であって、送信側から送出される通信モードを示すデータ種別認識情報毎に対応付けられた符号データからデータ種別認識情報を検出し、該データ種別認識情報に対応した通信モードによりデータ系列を受信するデータ受信装置において、
受信したデータ種別認識情報毎に対応付けられた符号データを基に、複数のデータ種別認識情報の候補に対して確からしさの高い順に順位付けを行い、該順位に従ってデータ種別認識情報を設定するデータ種別認識情報検出手段と、
該データ種別認識情報検出手段に設定されたデータ種別認識情報に対応した通信モードに基づいて受信データ系列の良否を判定するデータ判定手段とを備え、
前記データ判定手段により受信データ系列が不良と判定された場合、前記データ種別認識情報検出手段は、前記順位に従って次の順位のデータ種別認識情報を設定し、該データ判定手段は新たに設定されたデータ種別認識情報に基づいて、繰り返し受信データ系列の良否判定を行う構成を有することを特徴とするデータ種別認識情報検出によるデータ受信装置。
【請求項２】
前記データ種別認識情報検出手段は、送信されるデータ種別認識情報の範囲に制限があることを予め認識している場合に、該制限の範囲内のデータ種別認識情報に対してのみ前記順位付けを行うことを特徴とする請求項１に記載のデータ種別認識情報検出によるデータ受信装置。
【請求項３】
前記データ種別認識情報検出手段は、前記データ種別認識情報毎に対応付けられた符号データに対して順次その特定位置の符号を反転する操作を行い、該特定位置の符号を反転した符号データを基に、前記データ種別認識情報の順位付けを行うことを特徴とする請求項１又は２に記載のデータ種別認識情報検出によるデータ受信装置。
【請求項４】
前記データ種別認識情報検出手段は、確からしさを示す尤度出力が最大値となるデータ種別認識情報から、該データ種別認識情報の符号との相関が高いもの順に、データ種別認識情報の順位付けを行うことを特徴とする請求項１乃至３の何れかに記載のデータ種別認識情報検出によるデータ受信装置。
【請求項５】
前記データ種別認識情報検出手段は、確からしさを示す尤度出力が所定の閾値を超えたデータ種別認識情報に対してのみ、前記順位付けを行うことを特徴とする請求項１乃至４の何れかに記載のデータ種別認識情報検出によるデータ受信装置。
【発明の詳細な説明】
【０００１】
【発明の属する技術分野】
本発明は、データ種別認識情報検出によるデータ受信装置に関し、データ種別毎に異なる通信モードのデータ系列を受信するデータ受信装置において、送信側から送出されたデータ種別認識情報を検出し、該データ種別認識情報に対応した通信モードによりデータ系列を受信するデータ受信装置に関する。
【０００２】
【従来の技術】
近年、マルチメディア通信の需要の高まりにより、音声や画像等の種別の異なる様々なデータがネットワークを介して送受される。それらのデータは、誤り訂正方法やインタリーブサイズ等の組合わせが各データ種別毎に異なる通信モードにより送受される。
【０００３】
上記種々の通信モードのデータを送受する通信システムは、通信モードを示すデータ種別認識情報を送信側で付与し、受信側は該データ種別認識情報を検出し、通信モード（誤り訂正方法やインタリーブサイズ等の組合わせ）を判断し、該通信モードに応じてデータ受信を行い、柔軟なマルチメディアサービスに対応したデータの送受を行っている。
【０００４】
【発明が解決しようとする課題】
上記通信システムのデータ受信装置において、データ種別認識情報の検出を誤るとデータ受信が正しく行われなくなり、通信サービスの品質劣化が生じる。従来のデータ種別認識情報検出によるデータ受信装置は、検出した一つのデータ種別認識情報に基づいてそのデータ種別認識情報に対応した通信モードでのみデータ系列の受信処理を行っていたため、データ種別認識情報の検出結果に誤りがあったときに、受信データ系列のＢＥＲ（Bit Error Rate），ＦＥＲ（Frame Error Rate）等の誤り率が著しく劣化し、通信品質が低下する。
【０００５】
また、データ種別認識情報の検出精度を上げようとすると、送信装置から送信されたデータ種別認識情報のマッピング符号が、実際には通信路上の雑音や伝送障害等により既に誤っている場合があるにも拘わらず、誤りのないデータ種別認識情報が検出されるまで長時間に亙ってデータ種別認識情報の検出処理を続けるため、データ受信処理の遅延が増大してしまう。
【０００６】
本発明は、データ種別認識情報検出によるデータ受信装置において、データ種別認識情報の検出誤りに対して、受信データを正しく復元し、受信データの誤り率を低下させて通信品質の向上を図ると共に、データ受信処理の遅延の減少を図ることを目的とする。
【０００７】
【課題を解決するための手段】
上記課題を解決するために本発明は、送信側から送出される通信モードを示すデータ種別認識情報毎に対応付けられた符号データからデータ種別認識情報を検出し、該データ種別認識情報に対応した通信モードによりデータ系列を受信するデータ受信装置において、受信したデータ種別認識情報毎に対応付けられた符号データを基に、複数のデータ種別認識情報の候補に対して確からしさの高い順に順位付けを行い、該順位に従ってデータ種別認識情報を設定するデータ種別認識情報検出手段と、該データ種別認識情報検出手段に設定されたデータ種別認識情報に対応した通信モードに基づいて受信データ系列の良否を判定するデータ判定手段とを備え、前記データ判定手段により受信データ系列が不良と判定された場合、前記データ種別認識情報検出手段は、前記順位に従って次の順位のデータ種別認識情報を設定し、該データ判定手段は新たに設定されたデータ種別認識情報に基づいて、繰り返し受信データ系列の良否判定を行うものである。
【０００８】
即ち、単一のデータ種別認識情報の検出結果だけではなく、複数のデータ種別認識情報の検出結果をその確からしさの順位によりランキングし、該順位に従って複数のデータ種別認識情報を基に順次受信処理を行うことにより、最初のデータ種別認識情報検出結果に誤りがあっても、次の確からしさの他のデータ種別認識情報を基にした受信処理により、受信データ系列が正しく復元され、受信データの誤り率を低下させることができる。
【０００９】
また、データ種別認識情報検出手段は、送信されるデータ種別認識情報の範囲に制限があることを予め認識している場合に、該制限の範囲内のデータ種別認識情報に対してのみ前記順位付けを行う。また、データ種別認識情報検出手段は、データ種別認識情報毎に対応付けられた符号データに対して順次その特定位置の符号を反転する操作を行い、該特定位置の符号を反転した符号データを基に、データ種別認識情報の順位付けを行う。
【００１０】
また、データ種別認識情報検出手段は、確からしさを示す尤度出力が最大値となるデータ種別認識情報から、該データ種別認識情報の符号との相関が高いもの順に、データ種別認識情報の順位付けを行う。また、データ種別認識情報検出手段は、確からしさを示す尤度出力が所定の閾値を超えたデータ種別認識情報に対してのみ順位付けを行う。
【００１１】
上記構成により、データ種別認識情報検出手段は、受信可能な全てのデータ種別認識情報に対して順位付けを行うのではなく、確からしさについての相関性又は閾値を基に、順位付けを行うデータ種別認識情報の候補数を絞り込むことにより、データ種別認識情報検出の遅延を防ぎ、受信処理の遅延を減少させる。
【００１２】
【発明の実施の形態】
先ず、データ種別認識情報により表される通信モードについて説明する。図１２の表１にデータ種別認識情報のマッピング符号及び組合わせデータの対応例を示す。表１に示すデータ組合わせ例は、ｄａｔａ１，ｄａｔａ２，ｄａｔａ３の三組のデータから成る通信データに関して各データのビット長の組合わせがそれぞれ異なる複数の通信モードの例を示しているが、本発明において、通信モードは、データビット長の組合わせに限られるものではなく、異なる誤り訂正方法やインタリーブサイズ等を組合わせた複数の通信モードにも同様に適用することができる。
【００１３】
各通信モードはデータ種別認識情報によって表され、送信側から例えばデータ種別認識情報“１”を送信するときは、表１のマッピング対応表に従って、｛−１，−１，−１，−１，−１，−１，−１，−１｝のマッピング符号を送信する。そのときの通信データは、ｄａｔａ１，ｄａｔａ２，ｄａｔａ３のそれぞれのデータビット長が２００ビット，１００ビット，１００ビットである組合わせデータとなる。なお、マッピング符号とは、データ種別認識情報毎に対応付けられた符号データのことである。
【００１４】
逆に受信側では｛−１，−１，−１，−１，−１，−１，−１，−１｝のマッピング符号を受信し、マッピング対応表からデータ種別認識情報“１”を検出し、該データ種別認識情報“１”に対応する｛ｄａｔａ１，ｄａｔａ２，ｄａｔａ３｝＝｛２００ビット，１００ビット，１００ビット｝のデータビット長の組合わせデータの通信データであると判定する。
【００１５】
図１に本発明によるデータ通信システムの構成例を示す。データ送信装置は、例えば、複数のデータ１〜データＮから通信データを合成する合成部１−１と、通信モードを示すデータ種別認識情報を生成するデータ種別認識情報生成部１−２と、合成部１−１及びデータ種別認識情報生成部１−２を制御する合成制御部１−３と、データ種別認識情報を付加した送信データを送信する送信器１−４とを備える。
【００１６】
データ受信装置は、通信データを受信する受信器１−５と、受信データ系列からデータ種別認識情報を検出するデータ種別認識情報検出部１−６と、データ種別認識情報を基にデータ判定を行い、正しいデータ種別認識情報を基に復元した受信データを出力するデータ判定部１−７とを備える。
【００１７】
図２は本発明によるデータ受信のフローチャートを示す。受信器１−５によるデータ受信（２−１）の後、データ種別認識情報検出部１−６はその受信データ系列からデータ種別認識情報を検出し（２−２）、その確からしさの順位のランキング作成を行い（２−３）、該順位に従ってデータ種別認識情報を設定する（２−４）。
【００１８】
データ判定部１−７は、設定されたデータ種別認識情報に基づいて、受信データ系列の誤り率等のデータ判定を行い（２−５）、その判定結果が良（ＯＫ）であれば設定されたデータ種別認識情報は適正であると判断し、そのまま受信データを出力する。
【００１９】
逆に、データ判定結果が不良（ＮＧ）である場合、データ種別認識情報を前述のランキングに従い、次の順位のものに更新し（２−６）、前述と同様に新たにそのデータ種別認識情報を設定（２−４）し、データ判定を行う（２−５）。
【００２０】
以下、判定結果が良（ＯＫ）となるまでこの動作を繰り返す。このようにデータ種別認識情報をその確からしさの順に従って異なるものと複数回入れ替えてデータ判定を行うことにより、一つのデータ種別認識情報だけでなく、幾つかのデータ種別認識情報を使用してデータ受信を行うので、最初のデータ種別認識情報の検出に誤りがあったとしても、他のデータ種別認識情報を設定して受信データを正しく復元することができ、通信データの品質を向上させることができる。
【００２１】
ここで、例えば通信データの組合わせが図１２の表２に示すように、ｄａｔａ１のデータビット長が常に１００ビットの固定長であるといったように、通信データの組合わせが予め制限されているものとする。このような場合、通信データの組合わせは全部で４通りしかない。
【００２２】
このように、通信データ種別に制限がある場合に、受信側で前述のように全てのデータ種別認識情報について、即ち１２通りのデータ種別認識情報を設定してデータ判定の処理を行っても、実際には送信されていない通信データ種別について無駄な判定処理を行うこととなり、受信処理の遅延を招くこととなる。
【００２３】
そこで、通信データ種別の制限範囲が受信側で予め認識されている場合に、データ受信装置は、受信したデータ種別認識情報のマッピング符号と、予め認識しているデータ種別認識情報のマッピング符号のパターン（図１２の表２に示す場合４通り）との相関を求め、データ種別認識情報の確からしさの順位のランキング作成を、制限されたデータ種別認識情報のものだけについて行い、実際に送信されるデータ種別認識情報についてのみ判定処理を行うことにより、受信処理遅延の短縮を図る。
【００２４】
データ種別認識情報は、図１２の表１に示す例のように、所定のパターン符号にマッピングされる。そこで、データ種別認識情報検出部１−６は、受信データ系列からデータ種別認識情報を検出し、その確からしさの順にランキングする際に、受信したパターン符号の或る特定の符号を反転し、即ち、受信誤りと推定される符号を元に戻す操作を行い、該特定の符号を反転した受信パターン符号とマッピング対応表のパターン符号との一致符号数の最大値に基づいて確からしさの順位をランキングする。
【００２５】
先ず、受信したそのままの符号を基に、データ種別認識情報の検出を行い、その確からしさ（尤度検出値）が最大値のデータ種別認識情報をランキング１とする。そのときのデータ種別認識情報が図１２の表１の“１”であったとする。ここで、次に大きい確からしさのものが表１の例えば“５”であったとしても、次のランキングとしては、データ種別認識情報“１”のマッピング符号と相関度の高いデータ種別認識情報“０”を選択する。このように相関度の高い順に、次はデータ種別認識情報“８”、次はデータ種別認識情報“９”とランキングしていく。
【００２６】
つまり、マッピング符号の相関の高いデータ種別認識情報同士をグループ化しておく。そして、前述したように受信誤りと推定される或る特定の符号を反転して元に戻す操作を行って、当該グループ内の他のマッピング符号に置換え、一致符号数の最大値を基にデータ種別認識情報を確からしさの順にランキングする。
【００２７】
次に、閾値設定によるデータ種別認識情報検出の実施形態について説明する。図３は閾値を基にデータ種別認識情報を検出する本発明のデータ受信装置を示し、図４はその動作フローを示す。また、図５乃至図８はデータ種別認識情報の尤度検出値と閾値との関係を示す。
【００２８】
この実施形態のデータ受信装置は、受信器３−１と、データ種別認識情報検出部３−２と、データ判定部３−３と、閾値設定部３−４とを備える。受信器３−１及びデータ判定部３−３は図１に示した実施形態におけるものと同様であるので重複した説明は省略する。
【００２９】
データ種別認識情報検出部３−２は、受信データ系列からデータ種別認識情報を検出する際に、データ種別認識情報の確からしさの順にランキングを行うが、各データ種別認識情報の確からしさ即ち尤度検出値と閾値とを比較し、閾値を超えたデータ種別認識情報についてのみランキングを行って、データ種別認識情報検出及びデータ判定処理の高速化を図る。
【００３０】
ここで、各データ種別認識情報の尤度検出値が図５の（ａ）に示す例のような場合、閾値を超える尤度検出値のデータ種別認識情報は、“１”，“４”，“６”のみであり、その大きさによってデータ種別認識情報のランキングを行い、図５の（ｂ）に示すように決定する。閾値を以ってデータ種別認識情報の候補を選別することにより、データ種別認識情報の検出及びデータ判定の遅延を減少させることができる。
【００３１】
以上の動作を、図４を参照して説明すると、受信器でデータ受信後（４−１）、データ種別認識情報検出部はその受信データ系列からデータ種別認識情報を検出し（４−２）、データ種別認識情報の尤度検出値を基に閾値を設定し（４−３）、該閾値を超えたデータ種別認識情報について尤度検出値の大きさ順にランキング作成し（４−４）、該ランキング順に従ってデータ種別認識情報を設定する（４−５）。
【００３２】
データ判定部は、設定されたデータ種別認識情報に基づいて、受信データ系列の誤り率等のデータ判定を行い（４−６）、その判定結果が良（ＯＫ）であれば設定したデータ種別認識情報は適正であると判断し、そのまま受信データを出力する。
【００３３】
逆に、データ判定結果が不良（ＮＧ）である場合は、データ種別認識情報を前述のランキングに従い、次の順位のものに更新し（４−７）、同様にそのデータ種別認識情報を設定（４−５）し、データ判定を行う（４−６）。以下、データ判定結果が良（ＯＫ）となるまでこの動作を繰り返す。
【００３４】
次に、図６を参照して、データ種別認識情報の尤度検出値の想定最大値を基に閾値を設定する実施形態について説明する。閾値設定部３−４は図６の（ａ）に示すように、データ種別認識情報の尤度検出値として想定される最大値Ｌから、予め定めた所定の値Ｍを減じた値、即ち（Ｌ−Ｍ）の値を閾値として設定する。図６の（ａ）に示す例では、該閾値以上となるデータ種別認識情報は、“１”及び“６”であるので、その大きさによってランキングを行い、図６の（ｂ）に示すように決定する。
【００３５】
次に、図７を参照して、データ種別認識情報の最大尤度検出値を基に閾値を設定する実施形態について説明する。閾値設定部３−４は図７の（ａ）に示すように、データ種別認識情報の尤度検出値として検出された最大値Ｌから、予め定めた所定の値Ｍを減じた値、即ち（Ｌ−Ｍ）の値を閾値として設定する。図７の（ａ）に示す例では、この閾値以上となる尤度検出値のデータ種別認識情報は、“１”及び“６”であるので、その大きさによってランキングを行い、図７の（ｂ）に示すように決定する。
【００３６】
次に、図８を参照して、データ種別認識情報の最小尤度検出値を基に閾値を設定する実施形態について説明する。閾値設定部３−４は図８の（ａ）に示すように、データ種別認識情報の尤度検出値として検出された最小値Ｌに、予め定めた所定の値Ｍを加えた値、即ち（Ｌ＋Ｍ）の値を閾値として設定する。図８の（ａ）に示す例では、この閾値以上となる尤度検出値のデータ種別認識情報は、“１”、“４”及び“６”であるので、その大きさによってランキングを行い、図８の（ｂ）に示すように決定する。
【００３７】
次に、図９を参照して、前フレームのデータ品質を基に閾値を設定する実施形態について説明する。閾値設定部３−４は図９に示すように、例えば、フレーム＃１における通信データ部の誤り訂正又は誤り検出により、該通信データの品質（信頼性）を評価し、その評価値Ｐ０に対応した閾値Ｌ０を、次のフレーム＃２におけるデータ種別認識情報検出の閾値として設定する。ここで、前フレームの通信データの品質が高ければ、次フレームにおける閾値を高く設定し、抽出するデータ種別認識情報検出の個数を絞り込む。
【００３８】
同様に、フレーム＃２における通信データの品質の評価値Ｐ１に対応した閾値Ｌ１を、次のフレーム＃３におけるデータ種別認識情報検出の閾値として設定し、フレーム＃３における通信データの品質の評価値Ｐ２に対応した閾値Ｌ２を、次のフレーム＃４におけるデータ種別認識情報検出の閾値として設定し、フレーム＃４における通信データの品質の評価値Ｐ０に対応した閾値Ｌ０を、次のフレームにおけるデータ種別認識情報検出の閾値として設定する。
【００３９】
次に、図１０のフローチャートを参照して、データ種別認識情報の検出回数を制限する実施形態について説明する。受信器においてデータ系列が受信されると（１０−１）、データ種別認識情報検出部は、カウンタを初期化して起動し（１０−２）、該受信データ系列からデータ種別認識情報を検出し（１０−３）、データ種別認識情報のランキング作成を行い（１０−４）、該ランキングの上位のデータ種別認識情報を選択して設定する（１０−５）。
【００４０】
データ判定部は設定されたデータ種別認識情報に基づき、受信データ系列の判定を行い（１０−６）、その結果が良（ＯＫ）であれば、そのまま受信データを出力する。逆に、データ判定が不良（ＮＧ）である場合、カウント値が所定値を超えた（カウントアウトした）かどうかを判定し（１０−７）、カウントアウトしていなければ、ランキングに従って次の順位のデータ種別認識情報に更新すると共に、カウンタをインクリメントし（１０−８）、そのデータ種別認識情報を設定し（１０−５）、同様にデータ判定を行う（１０−６）。
【００４１】
以下、この動作をカウンタが所定値をカウントアウトするまで繰り返し、カウントアウトした場合に処理を中止する。従って、データ種別認識情報の検出処理の回数は、予め定めた所定値以下に制限され、データ種別認識情報の検出処理を多数回に亙って行うことによる処理遅延の増大を抑制することができる。
【００４２】
次に、図１１のフローチャートを参照して、データ種別認識情報の検出時間を制限する実施形態について説明する。受信器においてデータ系列が受信されると（１１−１）、データ種別認識情報検出部は、タイマを初期化して起動し（１１−２）、該受信データ系列からデータ種別認識情報を検出し（１１−３）、データ種別認識情報のランキング作成を行い（１１−４）、該ランキングの上位のデータ種別認識情報を選択して設定する（１１−５）。
【００４３】
データ判定部は設定されたデータ種別認識情報に基づき、受信データ系列の判定を行い（１１−６）、その結果が良（ＯＫ）であれば、そのまま受信データを出力する。逆に、データ判定が不良（ＮＧ）である場合、タイムアウトするかどうかを判定し（１０−７）、タイムアウトしていなければ、データ種別認識情報をランキングに従って次の順位のものに更新し（１１−８）、そのデータ種別認識情報を設定し（１１−５）、同様にデータ判定を行う（１１−６）。
【００４４】
以下、この動作をタイマに予め設定した時間がタイムアウトするまで繰り返し、タイムアウトした場合に処理を中止する。従って、データ種別認識情報の検出処理の時間は、予めタイマに設定した時間以内に制限され、データ種別認識情報の検出及びデータ判定処理を長時間に亙って行うことによる処理遅延の増大を抑制することができる。
【００４５】
（付記１）  データ種別毎に異なる通信モードのデータ系列を受信するデータ受信装置であって、送信側から送出される通信モードを示すデータ種別認識情報のマッピング符号からデータ種別認識情報を検出し、該データ種別認識情報に対応した通信モードによりデータ系列を受信するデータ受信装置において、
受信したデータ種別認識情報のマッピング符号を基に、複数のデータ種別認識情報の候補に対して確からしさの高い順に順位付けを行い、該順位に従ってデータ種別認識情報を設定するデータ種別認識情報検出手段と、
該データ種別認識情報検出手段に設定されたデータ種別認識情報に対応した通信モードに基づいて受信データ系列の良否を判定するデータ判定手段とを備え、前記データ判定手段により受信データ系列が不良と判定された場合、前記データ種別認識情報検出手段は、前記順位に従って次の順位のデータ種別認識情報を設定し、該データ判定手段は新たに設定されたデータ種別認識情報に基づいて、繰り返し受信データ系列の良否判定を行う構成を有することを特徴とするデータ種別認識情報検出によるデータ受信装置。
（付記２）  前記データ種別認識情報検出手段は、送信されるデータ種別認識情報の範囲に制限があることを予め認識している場合に、該制限の範囲内のデータ種別認識情報に対してのみ前記順位付けを行うことを特徴とする請求項１に記載のデータ種別認識情報検出によるデータ受信装置。
（付記３）  前記データ種別認識情報検出手段は、前記データ種別認識情報のマッピング符号に対して順次その特定位置の符号を反転する操作を行い、該特定位置の符号を反転したマッピング符号を基に、前記データ種別認識情報の順位付けを行うことを特徴とする請求項１又は２に記載のデータ種別認識情報検出によるデータ受信装置。
（付記４）  前記データ種別認識情報検出手段は、確からしさを示す尤度出力が最大値となるデータ種別認識情報から、該データ種別認識情報の符号との相関が高いもの順に、データ種別認識情報の順位付けを行うことを特徴とする請求項１乃至３の何れかに記載のデータ種別認識情報検出によるデータ受信装置。
（付記５）  前記データ種別認識情報検出手段は、確からしさを示す尤度出力が所定の閾値を超えたデータ種別認識情報に対してのみ、前記順位付けを行うことを特徴とする請求項１乃至４の何れかに記載のデータ種別認識情報検出によるデータ受信装置。
（付記６）  前記データ種別認識情報検出手段は、前記閾値を、予め想定される確からしさの最大値又は最小値を基に設定すること特徴とする付記５に記載のデータ種別認識情報検出によるデータ受信装置。
（付記７）  前記データ種別認識情報検出手段は、前記閾値を、受信データ系列から検出した確からしさの最大値又は最小値を基に設定すること特徴とする付記５に記載のデータ種別認識情報検出によるデータ受信装置。
（付記８）  前記データ種別認識情報検出手段は、前記閾値を、受信した通信データの品質を基に設定すること特徴とする付記５に記載のデータ種別認識情報検出によるデータ受信装置。
（付記９）  前記データ種別認識情報検出手段は、確からしさの順位に従って設定するデータ種別認識情報の個数を制限する手段を備えたことを特徴とする付記１乃至８の何れかに記載のデータ種別認識情報検出によるデータ受信装置。
（付記１０）  前記データ種別認識情報検出手段は、確からしさの順位に従ってデータ種別認識情報を設定してデータ判定する処理を、所定の時間内に制限する手段を備えたことを特徴とする付記１乃至８の何れかに記載のデータ種別認識情報検出によるデータ受信装置。
【００４６】
【発明の効果】
以上説明したように、本発明によれば、データ種別認識情報を一つではなく、確からしさの順位に従って複数のデータ種別認識情報をランキングし、それらのデータ種別認識情報を基に順次受信処理を行うことにより、通信データの品質向上を図ることができる。また、データ種別認識情報の相互の相関により又は確からしさの閾値設定により、データ種別認識情報候補の絞り込みを行い、データ種別認識情の検出及びデータ判定における処理遅延の減少を図ることができる。
【図面の簡単な説明】
【図１】本発明によるデータ通信システムの構成例を示す図である。
【図２】本発明によるデータ受信のフローチャートである。
【図３】閾値を基にデータ種別認識情報を検出する本発明のデータ受信装置を示す図である。
【図４】本発明の閾値を基にデータ種別認識情報を検出するフローチャートである。
【図５】本発明におけるデータ種別認識情報の尤度検出値と閾値との関係を示す図である。
【図６】本発明におけるデータ種別認識情報の尤度検出値と閾値との関係を示す図である。
【図７】本発明におけるデータ種別認識情報の尤度検出値と閾値との関係を示す図である。
【図８】本発明におけるデータ種別認識情報の尤度検出値と閾値との関係を示す図である。
【図９】本発明におけるデータ種別認識情報の尤度検出値と閾値との関係を示す図である。
【図１０】本発明のデータ種別認識情報の検出回数を制限するフローチャートである。
【図１１】本発明のデータ種別認識情報の検出時間を制限するフローチャートである。
【図１２】データ種別認識情報のマッピング符号及び組合わせデータの対応例を示す表である。
【符号の説明】
１−１  合成部
１−２  データ種別認識情報生成部
１−３  合成制御部
１−４  送信器
１−５  受信器
１−６  データ種別認識情報検出部
１−７  データ判定部
【図１】
0004413394.tif 000002
【図２】
0004413394.tif 000003
【図３】
0004413394.tif 000004
【図４】
0004413394.tif 000005
【図５】
0004413394.tif 000006
【図６】
0004413394.tif 000007
【図７】
0004413394.tif 000008
【図８】
0004413394.tif 000009
【図９】
0004413394.tif 000010
【図１０】
0004413394.tif 000011
【図１１】
0004413394.tif 000012
【図１２】
0004413394.tif 000013